(57)【特許請求の範囲】
【請求項１】
同一円環状の枠に、昆虫等を捕獲するための内側の網と外側の網の先端部が取り付けられ、網部が二重となる構造であり、内側の網底部が開口しており、内側の網底部の開口面積を、昆虫等を取り込む円環状の枠の内周面積より小さくすることで返しの役目とし、
内側の返しの役目をする網底部の開口部を紐で開閉できる構造とし、
外側の網底部を開閉式にしたことを特徴とする簡易虫籠ネット。
【発明の詳細な説明】
【技術分野】
【０００１】
本発明は、虫取り網で捕獲した昆虫等が容易に逃げ出す事を防止する方法および、その虫取り網が虫篭を兼ねる方法として、同一円環状の枠に、昆虫等を捕獲するための内側の網と外側の網の先端部が取り付けられ、網部が二重となる構造とし、内側の網底部が開口していることで、昆虫等を取り込む開口部から取り込んだ昆虫等が内側の網底部の開口部を通り外側の網との隙間に入り込む。内側の網底部の開口面積を、昆虫等を取り込む円環状の枠の内周面積より小さくすることで返しの役目となり、内側と外側の網の隙間に入り込んだ昆虫等が、内側の網底部の小さな開口部から容易に逃げ出すことを防止でき、さらに内側の網底部および外側の網底部を紐による開閉式とする事で、外側と内側の網の間に出来る隙間を簡易虫篭として使用でき、虫篭の所持を省略できることを提供するものである。
【背景技術】
【０００２】
昆虫の採集には、一般的に虫取り網を使用する方法が採られる。
【０００３】
従来からの一般的な虫取り網は、取り込み口が閉じない袋状かつ一重の網が取り付けられた構造である。その虫取り網を使用して昆虫等を捕獲した場合、一旦、網の中に入った昆虫等を虫篭に移動させる方法として、網の先端が取り付けられる円環状の枠を持ち上げ、昆虫を取り込む開口部から手を差し入れ掴んで取り出すが、開口部は広いため昆虫等を掴み損ねると逃げられる事がよくある。
【０００４】
また、あみ口を閉じる虫取り網では、一旦捕獲した昆虫等を虫かごに移さない限り、次の昆虫等を捕獲するために使用することが出来ない。
【０００５】
また、逆止め弁の付いた虫捕獲具では、振りかざした風圧で逆止め弁が動作する仕組みであり空中に飛来している虫を捕獲するには有効であるが、地面にいる昆虫等を捕獲するため振りかざし覆い被せても、昆虫等は逆止め弁を通過しないため、結局、捕獲した昆虫等を虫篭に移さなければならず、網先端部の円環状の取り付け枠である開口部を持ち上げた時に捕獲していた昆虫等が逃げ出す恐れがあるほか、引き続き虫とり網を使用することは出来ない。
【先行技術文献】
【特許文献】
【０００６】
【特許文献１】特開２０１２-１８７１０３号公報
【特許文献２】特開２００７-４３９１１号公報
【発明の概要】
【発明が解決しようとする課題】
【０００７】
本発明は、以上のような従来の欠点に鑑み、同一円環状の枠に、昆虫等を捕獲するための内側の網と外側の網の先端部を取り付け、網部が二重となる構造とし、捕獲動作をするときの内側の網底部が開口している状態とすることで、昆虫等を取り込む開口部から取り込んだ昆虫等が内側の網底部の開口部を通り外側の網との隙間に入り込む。内側の網底部の開口面積を、昆虫等を取り込む円環状の枠の内周面積より小さくすることで返しの役目となり、内側と外側の網の隙間に入り込んだ昆虫等が、内側の網底部の小さな開口部から容易に逃げ出すことを防止できる。さらに取り込んだ昆虫等が、内側と外側の網の間に入り込んだ後、開口状態の内側の網底部の開閉紐を閉じる事で、外側と内側の網の間に出来る隙間を簡易虫篭として使用でき、捕獲した昆虫等を改めて虫篭に移さなくとも引き続き内側の網で虫取り網の使用を継続することができる。また、外側の網底部も紐による開閉式とし、開いた外側の網底部から簡易虫籠に納まる昆虫等を手を差し入れて掴むことができるため、内側及び外側の網先端部の広い円環状の取り付け枠を持ち上げて逃げられる事なく捕獲できる事を提供することを目的としている。
【０００８】
また、地面にいる昆虫等に覆い被せ捕獲した場合も、外側の網底部を開き、手を差し入れることで、網先端の円環状の取り付け枠を持ち上げる事なく昆虫等を捕まえる事ができることを提供する事を目的としている。
【０００９】
幼少期に使用する頻度の高い虫取り網を、従来の口の閉じない袋状のものから、より確実に採集できるものとすることで、大切な成長期である幼少期に昆虫等を身近に感じさせ、昆虫本来の生態系を楽しく学習させる機会を提供することを目的としている。
【課題を解決するための手段】
【００１０】
上記目的を達成するために、本発明は、虫取り網の内側と外側の網先端部が同一円環状の枠に取り付けられる二重構造からなり、内側の網底部の開口部が、網先端部の円環状取り付け枠開口部内周面積より小さくすることで返しの役割を果たし、捕獲した昆虫等が内側網底部開口部を通過し外側と内側の網の間にできる隙間に収まることで、容易に逃げ出せない簡易虫籠ネットを構成している。
【００１１】
上記目的を達成するために、二重の網のうち、内側の返しとなる網底部の開口部を開閉する紐で閉じることによって、外側と内側の網の間が簡易虫篭となり、虫篭の所持を省略できる簡易虫籠ネットを構成している。
【００１２】
上記目的を達成するために、外側の網底部を開閉式とすることで、外側と内側の網の間にできる簡易虫篭に納まる昆虫等のほか、追って内側の網で捕獲した昆虫等も、内側及び外側の網先端部の円環状の取り付け枠である開口部を持ち上げることなく外側の網底部の開口部を開き、手を差し入れることで、昆虫等を容易に掴むことができる簡易虫籠ネットを構成している。
【発明の効果】
【００１３】
以上の説明から明らかなように、本発明にあっては次に列挙する効果が得られる。
（1）虫取り網の内側と外側の網先端部が同一円環状に取り付けられる二重構造で、捕獲した昆虫等が、網先端取り付け枠開口部面積より小さく返しの役目をする内側の網底部開口部を通り、外側と内側の網の間にできる隙間に入り込み、容易に逃げ出せない簡易虫籠ネットで構成されており、一旦、採集した昆虫等を逃がす事無く捕獲できる。
【００１４】
（2）また、内側の網底部の開口部を紐で閉じることで内側の網と外側の網の隙間が簡易虫籠となり、簡易虫籠に昆虫等を取り込んだ状態で虫取りを継続する事ができる。
したがって昆虫の採集が楽しくなり、昆虫の生態系を学習する機会を大いに増やす事が期待できる。
【００１５】
（３）通常、昆虫採集に携行する所持品は虫取り網と虫籠であるところ、前記（1）や（2）によって、虫籠の所持を省略する事ができることで昆虫の採集にかかる所持品が軽微となり、主に使用する幼児の負担を軽減することができる。
【図面の簡単な説明】
【００１６】
【図１】本発明を実施するための、昆虫等の捕獲動作をする際の形態を示す簡易虫籠ネット全体図
【図２】本発明を実施するための、同一円環状の枠９に取り付けられた内側の網２で捕獲された昆虫等が、内側の網底部3の開口部を通り、外側の網１との隙間に入った状態で、内側網底部３の開口部を紐７で閉じる事によって、外側の網1と内側の網2の間が簡易虫篭4となることを示す簡易虫籠ネット全体図
【図３】本発明を実施するための、簡易虫籠４に収まる昆虫等を取り出す際に、外側の網底部6を閉じている紐８を弛めて開き、簡易虫篭4に収まる昆虫等を取り出す状態を示す簡易虫籠ネット全体図。
【発明を実施するための形態】
【００１７】
以下、本発明の実施の形態を図に基いて説明する。
【００１８】
虫取り網の構造は一般的に網部が一重構造である。
【００１９】
本発明の簡易虫籠ネットは、虫取り網の網部を内側と外側の網先端部を同一円環状の枠に取り付け二重構造にし、内側の網底部を同一円環状の内周面積より小さく開口する事ですることで、内側の網で捕獲した昆虫等が内側の網底部の開口部を通過し、図1に示されるように外側の網1と内側の網2の間に入り込む構造となっている。
【００２０】
一般的な虫取り網は、捕獲した昆虫等を取り出す方法として、取り込んだ開口部から手を差し入れ昆虫等を掴むが、昆虫等を取り込んだ開口部を閉じることができないため、開口部から逃げられる事がよくある。
【００２１】
本発明の簡易虫籠ネットは、内側の網底部3の開口部が、内側の網先端部が取り付けられる同一円環状の枠内周面積より小さく、返しの役割となっているため、内側と外側の網の間に入り込んだ昆虫等が容易に逃げ出せない構造となっている。
【００２２】
一般的な虫取り網は昆虫等を取り込む開口部を閉じられないため、捕獲した昆虫等を虫篭に移さなければならない。
【００２３】
本発明の簡易虫籠ネットは、捕獲された昆虫等が外側の網1と内側の網2の隙間に入った後、内側の網底部3の開口部を紐７で閉じることにより、外側の網1と内側の網2の隙間が簡易虫篭4となることから、虫篭の所持を軽減できる。
【００２４】
一般的な虫取り網は開口部を閉じられないため、捕獲した昆虫等は虫篭に移さなければ、引き続き昆虫を採集するために虫取り網を使用することが出来ず、そのため、昆虫等を取り込んだ網の取り付け枠開口部から手を差し入れ昆虫等を掴む方法をとるが、昆虫等を取り込む開口部は広いため隙間から逃げられる事がよくある。
【００２５】
本発明の簡易虫籠ネットは、捕獲された昆虫等が外側の網1と内側の網2の隙間に入った後、内側の網底部3の開口部を紐７で閉じることにより、外側の網1と内側の網2の隙間が簡易虫篭4に収まることで、容易に逃げられる事を防止できるほか、図1で示されるように、外側の網底部６を閉じている紐８を弛め、外側網底部を開口し、手を差し入れ、昆虫等を掴む事ができるため、従来のように昆虫等を取り込む網の取り付け枠である広い開口部から逃げ出すことが防止できる。
【００２６】
本発明の簡易虫籠ネットは、昆虫等を簡易虫籠に捕獲した状態でも、引き続き内側の網で昆虫等を捕獲することができる。
【産業上の利用可能性】
【００２７】
本発明は、幼少期に昆虫を捕獲する道具として利用可能であるほか、簡易虫篭を兼ねているため捕獲した昆虫を持ち運ぶことが容易である。
【符号の説明】
【００２８】
１    外側の網
２    内側の網
３    内側の網底部
４    簡易虫篭
５    昆虫等を取り込む開口部
６    外側の網底部
７    内側の網底部を開閉する紐
８    外側の網底部を開閉する紐
９    外側及び内側の網の先端部が取り付けられている円環状の枠
１０  外側及び内側の網の先端部が取り付けられている円環状の枠からつながる取っ手
【要約】
【課題】従来の虫取り網は、捕獲対象となる昆虫等に覆い被せるようにして捕獲した後、網の取り付け枠を持ち上げて地面と網の間に隙間を作り、手を差し入れて手で摘むなどし捕獲するが、網の扱いに慣れない幼児等は、捕獲した昆虫等を手で掴むために網の取り付け枠を持ち上げた際、その隙間から捕獲した昆虫等が逃げ出す場合がある。
【解決手段】そこで、本発明は、昆虫等を捕獲する網の部分を内側と外側の二重構造にし、内側と外側の網先端部を同一円環状の枠に取り付け、内側及び外側の網底部を開閉式とする。さらに内側の網底部開口部を、内側の網先端部を取り付ける円環状の枠の内周面積より小さく返しとなる構造とする事で、内側の網底部開口部を通過した昆虫等が外側と内側の網の間に入り込むと容易に逃げ出せない構造となる。
【選択図】図1【図１】
0005869718.tif 000002
【図２】
0005869718.tif 000003
【図３】
0005869718.tif 000004